(57)【要約】【課題】  本発明は、ユーザが自らの健康に関連性の高い情報を享受できるようになるユーザ支援システム、サーバ装置、ユーザ支援プログラム、およびユーザ支援方法を提供することを目的とする。【解決手段】  本発明は、ユーザ端末と、ユーザ端末と通信により接続可能なサーバ装置とにおいて実現されるユーザ支援システムであって、ユーザの健康を支援する情報である支援情報を記憶する支援情報記憶手段と、支援情報の提供者を登録する提供者登録手段と、支援情報と関連する傷病名または医薬品名を記憶する関連記憶手段と、診療情報に含まれる傷病名または医薬品名に基づいて、提供者の登録をされた支援情報であってユーザ端末に配信する支援情報を特定する支援情報特定手段とを備える、ユーザ支援システムに関する。【選択図】    図３
2018092376.tif 000002
【特許請求の範囲】
【請求項１】
ユーザ端末と、ユーザ端末と通信により接続可能なサーバ装置とにおいて実現されるユーザ支援システムであって、
ユーザの健康を支援する情報である支援情報を記憶する支援情報記憶手段と、
支援情報の提供者を登録する提供者登録手段と、
支援情報と関連する傷病名または医薬品名を記憶する関連記憶手段と、
診療情報に含まれる傷病名または医薬品名に基づいて、提供者の登録をされた支援情報であってユーザ端末に配信する支援情報を特定する支援情報特定手段とを備える、ユーザ支援システム。
【請求項２】
特定された支援情報とともに提供者に関する情報をユーザ端末に表示する支援情報表示手段を備える、請求項１に記載のユーザ支援システム。
【請求項３】
支援情報の表示回数に関する情報を記憶する表示回数記憶手段を備える、請求項２に記載の支援システム。
【請求項４】
支援情報表示手段が、提供者の登録をされていない支援情報よりも提供者の登録をされた支援情報を優先して表示する手段を含む、請求項２または３に記載のユーザ支援システム。
【請求項５】
統一的な傷病名を記憶する手段と、
診療情報に含まれる傷病名であって、統一的な傷病名に類似した傷病名を統一的な傷病名に変換する手段と、
支援情報特定手段が、統一的な傷病名に基づいて、提供者の登録をされた支援情報を特定する手段を含む、請求項１〜４のいずれかに記載のユーザ支援システム。
【請求項６】
剤形および規格に関する情報が除外された統一的な医薬品名を記憶する手段と、
診療情報に含まれる医薬品名を統一的な医薬品名に変換する手段とを備え、
支援情報特定手段が、統一的な医薬品名に基づいて、提供者の登録をされた支援情報を特定する手段を含む、請求項１〜５のいずれかに記載のユーザ支援システム。
【請求項７】
診療情報としてレセプトデータを記憶するレセプトデータ記憶手段と、
レセプトデータから傷病名または医薬品名を抽出する抽出手段とを備え、
支援情報特定手段が、レセプトデータから抽出された傷病名または医薬品名に基づいて、提供者の登録をされた支援情報を特定する手段を含む、請求項１〜６のいずれかに記載のユーザ支援システム。
【請求項８】
ユーザ端末と、ユーザ端末と通信により接続可能なサーバ装置とにおいて実現されるユーザ支援システムであって、
レセプトデータを記憶するレセプトデータ記憶手段と、
レセプトデータから処方日および処方日数を抽出する抽出手段と、
抽出された処方日および処方日数に基づいて、次回の通院に関する情報を支援情報としてユーザ端末に表示させる支援情報表示手段とを備える、ユーザ支援システム。
【請求項９】
ユーザの健康を支援する情報である支援情報を記憶する支援情報記憶手段と、
支援情報の提供者を登録する提供者登録手段と、
支援情報と関連する傷病名または医薬品名を記憶する関連記憶手段と、
診療情報に含まれる傷病名または医薬品名に基づいて、提供者の登録をされた支援情報であってユーザ端末に配信する支援情報を特定する支援情報特定手段とを備える、サーバ装置。
【請求項１０】
コンピュータ装置において実行されるプログラムであって、
コンピュータ装置を、
ユーザの健康を支援する情報である支援情報を記憶する支援情報記憶手段、
支援情報の提供者を登録する提供者登録手段、
支援情報と関連する傷病名または医薬品名を記憶する関連記憶手段、
診療情報に含まれる傷病名または医薬品名に基づいて、提供者の登録をされた支援情報であってユーザ端末に配信する支援情報を特定する支援情報特定手段として機能させる、ユーザ支援プログラム。
【請求項１１】
コンピュータ装置において実行される方法であって、
ユーザの健康を支援する情報である支援情報を記憶する支援情報記憶ステップと、
支援情報の提供者を登録する提供者登録ステップと、
支援情報と関連する傷病名または医薬品名を記憶する関連記憶ステップと、
診療情報に含まれる傷病名または医薬品名に基づいて、提供者登録をされた支援情報であってユーザ端末に配信する支援情報を特定する支援情報特定ステップとを有する、ユーザ支援方法。
【発明の詳細な説明】
【技術分野】
【０００１】
本発明は、ユーザ支援システム、サーバ装置、ユーザ支援プログラム、およびユーザ支援方法に関する。
【背景技術】
【０００２】
医薬品業界では、顧客を誘引する意図が明確で、特定医薬品等の商品名が明らかにされており、一般人が認知できる状態にある情報は、広告と判断され、その提供が法律により規制されている。この規制は、国民の保健衛生を守ることには一定の寄与をしているものの、製薬会社等から患者への情報提供を充分に行えなくなるという弊害も生んでいる。
【０００３】
このような規制の下で患者に情報提供をしようとすると、医療機関等の待合室でイメージ動画を再生したり、健康セミナーの告知文を掲示板に掲載したりすることになるものの、このような方法で提供される情報は、患者にとって不要な情報も多く、患者の注意を引くことが難しいのが現状である。
【０００４】
ところで、患者への情報提供の一環として、医療行為の事前説明のために、患者の診療状況に応じて編集された動画を患者の待ち時間に視聴させるためのシステムが知られている（例えば、特許文献１参照）。しかし、このようなシステムは、院内での利用に限られ、患者の健康を日常的に支援できるものでないことに加え、製薬会社等から患者のニーズに合った情報を提供できるものでもなかった。
【先行技術文献】
【特許文献】
【０００５】
【特許文献１】特開２００４−２４０５５３号公報
【発明の概要】
【発明が解決しようとする課題】
【０００６】
本発明は、上記課題を解決するものである。すなわち、本発明は、ユーザが自らの健康に関連性の高い情報を享受できるようになるユーザ支援システム、サーバ装置、ユーザ支援プログラム、およびユーザ支援方法を提供することを目的とする。
【課題を解決するための手段】
【０００７】
上記課題は以下の［１］〜［１１］の手段により実現できる。
【０００８】
［１］ユーザ端末と、ユーザ端末と通信により接続可能なサーバ装置とにおいて実現されるユーザ支援システムであって、
ユーザの健康を支援する情報である支援情報を記憶する支援情報記憶手段と、
支援情報の提供者を登録する提供者登録手段と、
支援情報と関連する傷病名または医薬品名を記憶する関連記憶手段と、
診療情報に含まれる傷病名または医薬品名に基づいて、提供者の登録をされた支援情報であってユーザ端末に配信する支援情報を特定する支援情報特定手段とを備える、ユーザ支援システム。
【０００９】
［２］特定された支援情報とともに提供者に関する情報をユーザ端末に表示する支援情報表示手段を備える、［１］に記載のユーザ支援システム。
【００１０】
［３］支援情報の表示回数に関する情報を記憶する表示回数記憶手段を備える、［２］に記載の支援システム。
【００１１】
［４］支援情報表示手段が、提供者の登録をされていない支援情報よりも提供者の登録をされた支援情報を優先して表示する手段を含む、［２］または［３］に記載のユーザ支援システム。
【００１２】
［５］統一的な傷病名を記憶する手段と、
診療情報に含まれる傷病名であって、統一的な傷病名に類似した傷病名を統一的な傷病名に変換する手段と、
支援情報特定手段が、統一的な傷病名に基づいて、提供者の登録をされた支援情報を特定する手段を含む、請求項１〜４のいずれかに記載のユーザ支援システム。
【００１３】
［６］剤形および規格に関する情報が除外された統一的な医薬品名を記憶する手段と、
診療情報に含まれる医薬品名を統一的な医薬品名に変換する手段とを備え、
支援情報特定手段が、統一的な医薬品名に基づいて、提供者の登録をされた支援情報を特定する手段を含む、［１］〜［５］のいずれかに記載のユーザ支援システム。
【００１４】
［７］診療情報としてレセプトデータを記憶するレセプトデータ記憶手段と、
レセプトデータから傷病名または医薬品名を抽出する抽出手段とを備え、
支援情報特定手段が、レセプトデータから抽出された傷病名または医薬品名に基づいて、提供者の登録をされた支援情報を特定する手段を含む、［１］〜［６］のいずれかに記載のユーザ支援システム。
【００１５】
［８］ユーザ端末と、ユーザ端末と通信により接続可能なサーバ装置とにおいて実現されるユーザ支援システムであって、
レセプトデータを記憶するレセプトデータ記憶手段と、
レセプトデータから処方日および処方日数を抽出する抽出手段と、
抽出された処方日および処方日数に基づいて、次回の通院に関する情報を支援情報としてユーザ端末に表示させる支援情報表示手段とを備える、ユーザ支援システム。
【００１６】
［９］ユーザの健康を支援する情報である支援情報を記憶する支援情報記憶手段と、
支援情報の提供者を登録する提供者登録手段と、
支援情報と関連する傷病名または医薬品名を記憶する関連記憶手段と、
診療情報に含まれる傷病名または医薬品名に基づいて、提供者の登録をされた支援情報であってユーザ端末に配信する支援情報を特定する支援情報特定手段とを備える、サーバ装置。
【００１７】
［１０］コンピュータ装置において実行されるプログラムであって、
コンピュータ装置を、
ユーザの健康を支援する情報である支援情報を記憶する支援情報記憶手段、
支援情報の提供者を登録する提供者登録手段、
支援情報と関連する傷病名または医薬品名を記憶する関連記憶手段、
診療情報に含まれる傷病名または医薬品名に基づいて、提供者の登録をされた支援情報であってユーザ端末に配信する支援情報を特定する支援情報特定手段として機能させる、ユーザ支援プログラム。
【００１８】
［１１］コンピュータ装置において実行される方法であって、
ユーザの健康を支援する情報である支援情報を記憶する支援情報記憶ステップと、
支援情報の提供者を登録する提供者登録ステップと、
支援情報と関連する傷病名または医薬品名を記憶する関連記憶ステップと、
診療情報に含まれる傷病名または医薬品名に基づいて、提供者登録をされた支援情報であってユーザ端末に配信する支援情報を特定する支援情報特定ステップとを有する、ユーザ支援方法。
【発明の効果】
【００１９】
本発明によれば、ユーザは、自らの健康に関連性の高い情報を享受できるようになる。
【図面の簡単な説明】
【００２０】
【図１】本発明の実施の形態に係るユーザ支援システムの構成の一例を示す模式図である。
【図２】本発明の実施の形態に係るユーザ支援システムにおけるパスワード発行処理の一例を示すフローチャートである。
【図３】本発明の実施の形態に係るユーザ支援システムにおける支援情報の表示処理の一例を示すフローチャートである。
【図４】本発明の実施の形態に係るユーザ支援システムに用いるレセプトデータテーブルの一例を示す模式図である。
【図５】本発明の実施の形態に係るユーザ支援システムに用いる支援情報テーブルの一例を示す模式図である。
【図６】本発明の実施の形態に係るユーザ支援システムにおける支援情報の選定処理の一例を示すフローチャートである。
【図７】本発明の実施の形態に係るユーザ支援システムにおけるホーム画面の一例を示す模式図である。
【図８】本発明の実施の形態に係るユーザ支援システムにおける動画一覧画面の一例を示す模式図である。
【図９】本発明の実施の形態に係るユーザ支援システムにおける支援情報表示画面の一例を示す模式図である。
【図１０】本発明の実施の形態に係るユーザ支援システムにおける新しいジェネリック医薬品のお知らせを表示する処理の一例を示すフローチャートである。
【図１１】本発明の実施の形態に係るユーザ支援システムにおける新しいジェネリック医薬品のお知らせ画面の一例を示す模式図である。
【図１２】本発明の実施の形態に係るユーザ支援システムにおけるジェネリック医薬品の詳細画面の一例を示す模式図である。
【図１３】本発明の実施の形態に係るユーザ支援システムにおける製薬会社の詳細画面の一例を示す模式図である。
【図１４】本発明の実施の形態に係るユーザ支援システムにおける通院時期推定処理の一例を示すフローチャートである。
【図１５】本発明の実施の形態に係るユーザ支援システムにおける警告通知処理の一例を示すフローチャートである。
【発明を実施するための形態】
【００２１】
以下で、本発明の実施の形態について、図面を用いて説明するが、本発明は図面および実施の形態に限定されるものではない。
【００２２】
本実施の形態に係るユーザ支援システムは、ユーザ端末と、ユーザ端末と通信により接続可能なサーバ装置とにおいて実現されるシステムである。
【００２３】
本実施の形態に係るユーザ支援システムは、ユーザの健康を支援する情報である支援情報を記憶する支援情報記憶手段と、支援情報と関連する傷病名または医薬品名を記憶する関連記憶手段とを備えることにより、ユーザの健康を支援する情報を傷病名または医薬品名と関連づけて記憶しておくことができる。
【００２４】
また、本実施の形態に係るユーザ支援システムは、診療情報に含まれる傷病名または医薬品名に基づいて提供者の登録をされた支援情報を特定する支援情報特定手段を備えることにより、ユーザの健康に関連性の高い支援情報を特定することができる。
【００２５】
加えて、本実施の形態に係るユーザ支援システムは、支援情報の提供者を登録する提供者登録手段を備える。提供者とは、支援情報を制作する者、支援情報の制作に必要な情報または資金等を提供する者、または支援情報で告知されたイベント等に資金を拠出する者などを含む者である。具体的には、医薬品、食品、医療器具、健康器具、またはフィットネスなどに関連する企業が挙げられる。
【００２６】
提供者登録手段を備えることにより、支援情報の信頼性を高めることができる。例えば、上記構成により、提供者には支援情報を提供するうえでの責任感が生じるとともに、ユーザには支援情報を提供されるうえでの安心感が生じる。支援情報がユーザにとって有益なものであれば、提供者に対するユーザの評価が向上し、提供者は多くのユーザから信頼を獲得することができるようになる。本実施の形態に係るユーザ支援システムは、上記のように、支援情報の提供を通じて、提供者とユーザの間に良好な関係を構築できるシステムであると言える。
【００２７】
本実施の形態に係るユーザ支援システムに関して、まず、ユーザ支援システムの構成について図１を用いて説明する。図１に記載のユーザ支援システム１０は、ユーザ端末１１と、ユーザ端末１１と通信により接続可能なサーバ装置１２とにおいて実現されるシステムである。
【００２８】
ユーザ端末１１は、操作部１４、表示部１５、制御部１６、ＲＡＭ（Ｒａｎｄｏｍ  Ａｃｃｅｓｓ  Ｍｅｍｏｒｙ）１７、および通信インターフェイス１８を備える。操作部１４、表示部１５、制御部１６、ＲＡＭ１７、および通信インターフェイス１８は、それぞれが内部バスにより接続されている。
【００２９】
ユーザ端末１１は、操作部１４における操作によって、制御部１６による制御に基づき、ＲＡＭ１７に格納された情報を、通信インターフェイス１８を介してサーバ装置１２に送信することができる。制御部は、ＣＰＵ（Ｃｅｎｔｒｌ  Ｐｒｏｃｅｓｓｉｎｇ  Ｕｎｉｔ）やＲＯＭ（Ｒｅａｄ  Ｏｎｌｙ  Ｍｅｍｏｒｙ）を含むものである。
【００３０】
ユーザ端末１１の通信インターフェイス１８から送信された情報は、公衆回線網１３を介して、サーバ装置１２の通信インターフェイス１９に受信される。
【００３１】
サーバ装置１２は、通信インターフェイス１９、ストレージ部２０、制御部２１、およびＲＡＭ２２を備える。通信インターフェイス１９、ストレージ部２０、制御部２１、およびＲＡＭ２２は、それぞれが内部バスにより接続されている。
【００３２】
通信インターフェイス１９において受信した情報は、ＲＡＭ２２に格納される。ＲＡＭ２２は、制御部２１のワークエリアである。
【００３３】
ストレージ部２０は、プログラムやデータを保存するための記憶領域である。ストレージ部２０には、レセプトデータテーブルや支援情報テーブル等のデータベースが記憶されている。
【００３４】
制御部２１は、ＲＡＭ２２およびストレージ部２０から各種情報を呼び出して、各種演算処理を実行する。各種演算の結果は、ＲＡＭ２２に格納される。
【００３５】
制御部２１が、ＲＡＭ２２から各種演算結果等の情報を呼び出し、通信インターフェイス１９から各種情報を、ユーザ端末１１の通信インターフェイス１８に送信する。
【００３６】
公衆回線網１３を介して、ユーザ端末１１の通信インターフェイス１８が各種情報を受信すると、表示部１５において各種情報を表示することが可能になる。表示部１５においては、後述するような動画一覧画面や支援情報表示画面に基づいて、各種情報を表示することができる。
【００３７】
次に、図２に記載のパスワード発行処理について説明する。最初に、ユーザは、アプリケーションをダウンロードするサイトを表示させるためのコードを、ユーザ端末において読み込む（ステップＳ１）。
【００３８】
ユーザ端末は、コードを入力可能にするコード入力手段と、入力されたコードに対応したサイトを表示するサイト表示手段と、本人確認書類を読み込み可能なアプリケーションをサイトからダウンロード可能にするダウンロード手段とを備えることが好ましい。上記構成により、アプリケーションのダウンロードを容易に行うことができる。ユーザ端末としては、スマートフォン、タブレット端末、ノートパソコン、またはデスクトップパソコンなどを用いることができる。
【００３９】
コードは、二次元バーコードやＵＲＬなどの形態として、医療費通知やジェネリック医薬品軽減額通知などに掲載し、ユーザに送付する態様とすることができる。コードは、ユーザにかかわらず同一のものとしてもよいし、ユーザごとに異なるものとしてもよい。ユーザごとに異なるコードにする場合は、登録されているユーザ本人の情報をもとにコードを生成するコード生成手段を備えることが好ましい。上記構成により、本人以外の人間が、本人確認書類を不正に用いて本人認証を行った場合、本人であるとは認証されずに、アプリケーションを不正に使用できなくなる。
【００４０】
本人情報の登録は、ユーザ本人が特別に行う必要がない。本実施の形態に係るユーザ支援システムにおいては、レセプトデータがサーバ装置のストレージ部に記憶されているためである。レセプトデータとは、患者が受けた保険診療について、市町村や健康保険組合等の保険者に医療機関が請求する医療報酬のデータのことである。レセプトデータとしては、医科入院レセプト、医科入院外レセプト、調剤レセプト、または歯科レセプトなどを用いることができる。レセプトデータは、社会保険診療報酬支払基金を通じて得ることができる。
【００４１】
レセプトデータは、上記のような様々な医療機関や調剤機関などのデータを統合したデータとして一元管理することができる。そのため、個々の電子カルテシステムや調剤用レセプトコンピュータのデータを利用する場合より、レセプトデータを利用する場合の方が、より広範な診療情報を記憶できるため、より広範な支援情報を提供することが可能になる。
【００４２】
レセプトデータには、氏名、生年月日、性別、処方日、医療機関名、医師氏名、診療科、傷病名、調剤日、調剤機関名、自己負担率、医薬品名、一般名、用法、投与量、および投与日数などのデータが含まれている。上記のレセプトデータから傷病名または医薬品名など、必要な情報を抽出する抽出手段と、抽出手段により抽出された傷病名または医薬品名などを記憶する手段とをユーザ支援システムが備えることにより、ユーザに情報の入力等の不便を感じさせることなく、必要な支援情報を配信することができるようになる。
【００４３】
ユーザが、ユーザ端末のコード読込部においてコードを読み込むと、アプリケーションをダウンロードするためのサイトが表示される。このサイトにおいて、ユーザがアプリケーションのダウンロードを選択すると、ユーザ端末からコード情報がサーバ装置に送信される（ステップＳ２）。送信されたコード情報は、サーバ装置で受信され（ステップＳ３）、サーバ装置は、アプリケーションをユーザ端末に送信する（ステップＳ４）。
【００４４】
ユーザ端末がアプリケーションを受信（ダウンロード）した後（ステップＳ５）、ユーザはアプリケーションを起動できるようになる。ユーザは、アプリケーションを起動した後、本人確認書類の読込とメールアドレス等の入力を要求され、要求に応じて入力を行う（ステップＳ６）。
【００４５】
本人確認書類としては、健康保険証を用いることが好ましい。健康保険証には、ユーザの氏名、生年月日、性別、保険者番号、記号、番号、色（保険者の種別）、および自己負担率などの情報が含まれており、レセプトデータとの照合がしやすいためである。本人確認書類を読み込む書類読込手段としては、ユーザ端末のカメラ機能を用いることができる。カメラ機能によって健康保険証を撮影し、健康保険証の画像を取得する。カメラ機能は、ダウンロードしたアプリケーションによって起動させる態様としてもよいし、ユーザ端末にデフォルトで備わっているカメラアプリケーションによって起動させる態様としてもよい。また、スキャナ等で健康保険証を読み込み、ユーザ端末に移行させてからサーバ装置に送信してもよい。
【００４６】
メールアドレスの入力は、アプリケーションにログインするためのログインＩＤおよびパスワードを送信するために要求される。メールアドレスの他に、名前や生年月日などのユーザ情報を入力させる態様としてもよい。その後、ユーザ端末から、健康保険証の画像およびメールアドレス等をサーバ装置に送信する（ステップＳ７）。
【００４７】
サーバ装置は、健康保険証の画像およびメールアドレス等を受信した後（ステップＳ８）、制御部において本人認証を行う（ステップＳ９）。本人認証のステップでは、読み込んだ本人確認書類に関する情報から、本人を認証するための情報を抽出する認証情報抽出手段と、本人を認証するための情報と登録されている本人の情報とを照合する照合手段が実行される。登録されている本人の情報としては、レセプトデータを用いることができる。
【００４８】
本人認証のステップでは、より具体的には、健康保険証の保険者番号、記号、番号、色（保険者の種別）、および自己負担率などの情報をサーバ装置において自動認識し、登録されているレセプトデータと照合する。なお、必要により、一部項目をオペレータが目視により認識または確認する態様としてもよい。
【００４９】
照合により本人であると認証された場合（ステップＳ９にてＹｅｓ）、ログインＩＤおよびパスワードが発行され（ステップＳ１０）、ログインＩＤおよびパスワードがＩＤ等送信手段によって、ユーザのメールアドレス宛に送信される（ステップＳ１１）。ユーザ端末がログインＩＤおよびパスワードをＩＤ等受信手段によって受信することで（ステップＳ１２）、パスワード発行処理は終了する。
【００５０】
照合により本人でないと認証された場合は（ステップＳ９にてＮｏ）、ログインＩＤおよびパスワードは発行されず、本人であると認証されなかった旨が、ユーザのメールアドレス宛に送信され（ステップＳ１１）、ユーザ端末が上記メールを受信することで（ステップＳ１２）、パスワード発行処理が終了する。
【００５１】
ログインＩＤおよびパスワードをユーザ端末が受信した後、ログインＩＤおよびパスワードをアプリケーションの表示画面で入力するログイン操作をユーザ端末において行うことができるようなる。ユーザ端末において、上記ログイン操作が実行されることにより、支援情報の閲覧が可能になる。上記構成のログイン手段によって、本人確認書類である健康保険証の所持者以外の人間がアプリケーションにログインすることを防止できる。なお、ログインパスワードは、同じものを使い続けられる態様としてもよいし、一度または定期的に変更できる態様としてもよい。
【００５２】
次に、図３に記載の支援情報の表示処理について説明する。まず、ユーザは、ユーザ端末において、アプリケーションを起動させ（ステップＳ２１）、ログイン画面を表示させる（ステップＳ２２）。ユーザは、ログインＩＤおよびパスワードをユーザ端末のログイン画面において入力し（ステップＳ２３）。ユーザ端末が、ログインＩＤおよびパスワードをサーバ装置に送信する（ステップＳ２４）。サーバ装置がログインＩＤおよびパスワードを受信すると（ステップＳ２５）、制御部において認証が行われる（ステップＳ２６）。
【００５３】
本人であると認証された場合（ステップＳ２６にてＹｅｓ）、支援情報の選定処理に移行する（ステップＳ２７）。本人であると認証されなかった場合（ステップＳ２６にてＮｏ）、ログインＩＤおよびパスワードの入力を再度要求される（ステップＳ２３）。
【００５４】
支援情報の選定処理（ステップＳ２７）は、サーバ装置の制御部において行うことができる。支援情報の選定処理は、図４に記載のレセプトデータテーブルおよび図５に記載の支援情報テーブルに基づいて行うことができる。レセプトデータテーブルおよび支援情報テーブルは、サーバ装置のストレージ部に記憶させておくことができる。
【００５５】
レセプトデータテーブル３０においては、患者ＩＤ３１、患者氏名３２、住所３３、生年月日３４、年齢３５、傷病名３６、医薬品名３７、および処方日３８などが記憶されている。支援情報テーブル４０においては、ＩＤ４１、支援情報４２、提供者情報４３、および配信条件４４などが記憶されている。配信条件４４としては、傷病名４５、医薬品名４６、対象地域４７、対象年齢４８、および配信時期４９などが記憶されている。
【００５６】
傷病名３６は、医科入院レセプトまたは医科入院外レセプトから取得できる。医科入院レセプトまたは医科入院外レセプトに記載される傷病名は多岐にわたり、類似した傷病名が様々な傷病名によって記載されている場合がある。そのため、類似した傷病名であるにもかかわらず、レセプトデータテーブル３０に記憶される傷病名３６と、支援情報テーブル４０に記憶された傷病名４５とが一致しない場合が想定される。
【００５７】
上記のような事態を避けるためには、統一的な傷病名を記憶する手段と、診療情報に含まれる傷病名であって、統一的な傷病名に類似した傷病名を統一的な傷病名に変換する手段とを備え、支援情報特定手段が、統一的な傷病名に基づいて、提供者の登録をされた支援情報を特定する手段を含む構成とすることが好ましい。上記構成により、支援情報テーブル４０に、類似した傷病名４５を多数記憶させておく必要がなくなり、データ量を削減できるようになる。
【００５８】
例えば、統一的な傷病名４５として「狭心症」という傷病名４５を支援情報テーブル４０に記憶させておき、レセプトデータテーブル３０に記憶されている「夜間狭心症」、「労作性狭心症」、「安定狭心症」、「微小血管性狭心症」、「安静時狭心症」、または「冠攣縮性狭心症」などの類似した傷病名３６を、統一的な傷病名４５である「狭心症」に変換したうえで、支援情報テーブル４０に記憶されている支援情報４２を選定する態様とすることができる。
【００５９】
医薬品名３７は、医科入院レセプト、医科入院外レセプト、調剤レセプト、または歯科レセプトなどから取得できる。レセプトに記載される医薬品名は、剤形や規格などが多岐にわたり、同一成分の医薬品名が形式上異なる医薬品名として記載されている場合がある。そのため、同一成分の医薬品名であるにもかかわらず、レセプトデータテーブル３０に記憶される医薬品名３７と、支援情報テーブル４０に記憶された医薬品名４６とが一致しない場合が想定される。
【００６０】
上記のような事態を避けるためには、剤形および規格に関する情報が除外された統一的な医薬品名を記憶する手段と、診療情報に含まれる医薬品名を統一的な医薬品名に変換する手段とを備え、支援情報特定手段が、統一的な医薬品名に基づいて、提供者の登録をされた支援情報を特定する手段を含む構成とすることが好ましい。上記構成により、支援情報テーブル４０に、剤形や規格の異なる医薬品名を多数記憶させておく必要がなくなり、データ量を削減できるようになる。なお、統一的な医薬品名として、医薬品の一般名を記憶させる態様としてもよい。
【００６１】
例えば、剤形および規格に関する情報が除外された統一的な医薬品名４６として「○○○」という医薬品名４６を支援情報テーブル４０に記憶させておき、レセプトデータテーブル３０に記憶されている「○○○錠１０ｍｇ」、「○○○錠２０ｍｇ」、「○○○カプセル１０ｍｇ」、または「○○○カプセル２０ｍｇ」などの医薬品名３７を、統一的な医薬品名４６である「○○○」に変換したうえで、支援情報テーブル４０に記憶されている支援情報４２を選定する態様とすることができる。
【００６２】
支援情報４２の配信形式は、特に限定されないが、例えば、動画形式やテキスト形式で配信することができる。支援情報の配信内容は、特に限定されないが、例えば、薬の飲み方、医療器具の使い方、ジェネリック医薬品の案内、検診ガイド、医学コラム、健康セミナーの情報、または禁煙指導など、ユーザの健康を支援し得る種々の情報を配信することができる。
【００６３】
提供者情報４３として、支援情報４２の提供者の情報が支援情報テーブル４０に記憶されている。なお、支援情報の登録に際して、ユーザ支援システムの運営者が、登録料などを提供者から徴収する態様とすることもできる。登録料は、支援情報の制作料という名目で徴収してもよい。
【００６４】
提供者から登録料を徴収する場合、登録料の支払状況を支援情報テーブル４０に記憶する支払状況記憶手段と、記憶された支払状況に基づいて、提供者の登録をされた支援情報をユーザ端末に配信する手段とを備える構成とすることが好ましい。上記構成により、登録料が支払われている場合には支援情報を配信し、登録料が支払われていない場合には支援情報を配信しないようにする態様とすることができる。また、提供者に制作料や登録料等を支払わせることは、提供者がより品質の高い支援情報を制作する誘因にもなるため、結果として、ユーザの健康をより好適に支援することができるようにもなる。
【００６５】
支払状況に関する具体的な情報は、特に限定されないが、例えば、登録料の額に関する情報や、登録料の支払時期に関する情報などが挙げられる。また、登録の時期が後になるにつれて、登録料および／または配信料を高くする課金態様も好ましい。
【００６６】
支援情報の動画は、１つのテーマに対して、１つの提供者を登録することが可能である。そのため、１つのテーマごとにテーマ枠を設定し、テーマ枠を販売して課金する形態とすることができる。テーマ枠の販売は、１年ごとの更新制とすることもできる。また、販売開始から３年後に入札によって課金額を切り替えることもできる。
【００６７】
テーマ枠に対する課金については、例えば、第一次募集期間として３ヶ月程度の募集期間を設け、テーマ枠の価格を、月額１万円または年額１０万円などと設定する課金態様とすることができる。また、第二次募集期間として、第一次募集期間の後に３ヶ月程度の募集期間を設け、テーマ枠の価格を、月額１万５千円または年額１５万円などと設定する課金態様とすることができる。加えて、第三次募集期間として、第二次募集期間の後に３ヶ月程度の募集期間を設け、テーマ枠の価格を、月額２万円または年額２０万円などと設定する課金態様とすることができる。
【００６８】
なお、糖尿病などの患者数の多いテーマは、支援情報の配信数も多くなると考えられるため、患者数の多いテーマについては、登録料および／または配信料を高めに設定して課金してもよい。
【００６９】
また、テーマ枠の料金とは別に、支援情報の制作費を徴収する課金態様とすることも可能である。支援情報は、内容や構成の統一性を担保する観点から、標準フォーマットに従って制作することが好ましい。加えて、支援情報の制作をシステム運営者に委託する場合は、制作委託料を徴収する課金態様としてもよい。なお、治療ガイドライン等の改定により動画の修正が必要になる場合は、修正費を別途徴収する課金態様とすることもできる。
【００７０】
また、支援情報の内容の妥当性を担保するために、支援情報を制作する際に、医療監修をつけることが好ましい。なお、医療監修は、システムの運営者と契約した監修者が行う態様でも良いし、支援情報の制作に関わる製薬会社等が独自に契約した監修者が行ってもよい。医療監修をシステムの運営者に委託する場合に、監修委託料を徴収する課金態様とすることもできる。
【００７１】
その他、支援情報としてジェネリック医薬品に関する情報を配信する場合に、ジェネリック医薬品に関する情報の登録料および／または配信料を、登録の時期が後になるにつれて高く設定する課金態様とすることも好ましい。
【００７２】
例えば、第一次募集期間として３ヶ月程度の募集期間を設け、医薬品１種類の登録につき１万円の登録料および１回情報配信される毎に１００円の配信料などと設定する課金態様とすることができる。また、第二次募集期間として、第一次募集期間の後に３ヶ月程度の募集期間を設け、医薬品１種類の登録につき２万円の登録料および１回情報配信される毎に２００円の配信料などと設定する課金態様とすることができる。加えて、第三次募集期間として、第二次募集期間の後に３ヶ月程度の募集期間を設け、医薬品１種類の登録につき３万円の登録料および１回情報配信される毎に３００円の配信料などと設定する課金態様とすることができる。
【００７３】
また、薬価基準未収載のジェネリック医薬品に関する情報の登録料および／または配信料を、薬価基準収載のジェネリック医薬品に関する情報の登録料および／または配信料よりも高く設定する課金態様とすることも好ましい。上記課金態様の場合、例えば、薬価基準未収載のジェネリック医薬品に関する情報の登録料および／または配信料を、薬価基準収載のジェネリック医薬品に関する情報の登録料および／または配信料の３倍に設定する課金態様としてもよい。
【００７４】
また、支援情報の配信がされたか否かは、支援情報がユーザ端末において表示されたか否かによって評価することができる。そのため、支援情報の表示回数に関する情報を支援情報テーブルに記憶する表示回数記憶手段を備える構成とすることにより、支援情報の表示回数に応じて配信料を算定し、配信料を提供者から徴収する態様とすることができる。
【００７５】
配信料の合計額は、支援情報が１回配信される毎の配信料の額、すなわち、単位表示回数当たりの配信料を記憶する配信料記憶手段と、単位表示回数当たりの配信料と実際の表示回数から、配信料の合計額を算出する配信料合計額算出手段とを備える構成とすることにより、自動的に算出できる。
【００７６】
なお、上記のように、本発明のユーザ支援システムを用いることについて、製薬会社等の支援情報の提供者に種々の課金をする場合には、本発明のユーザ支援システムが、支援情報の提供者に対する課金手段を備え、課金手段が、製薬会社等の支援情報の提供者に対して課金処理を自動的に行う態様とすることが好ましい。
【００７７】
課金処理の具体例は、特に限定されないが、例えば、銀行口座からの自動引き落とし、仮想通貨の取得、クレジットカード払いの請求、または予納金の引き落とし等の種々の態様が挙げられる。
【００７８】
なお、課金は、上記のようにユーザ支援システムが自動的に実行する態様でも良いし、発行した請求書に基づいて、支援情報の提供者が振込等を手動で行う態様でも良い。
【００７９】
課金をして支払いが済んだ後は、支払状況に関する情報をストレージ部に記憶させ、サーバ装置の制御部が支払状況に基づいて、支援情報を表示するための優先順位を設定できる構成とすることが好ましい。上記構成により、例えば、登録料の額が多い提供者や登録料の支払時期が早い提供者の支援情報を優先表示できるようになるとともに、提供者に登録をさせるインセンティブをより多く与えることができるようになる。
【００８０】
優先表示の態様は、特に限定されないが、例えば、支援情報の概要一覧において、上位に表示する、太字で表示する、表示枠を大きくする、彩色を施して目立たせる、または、注意を喚起する記号やテキスト等を付すといった態様が挙げられる。
【００８１】
支援情報の選定処理（ステップＳ２７）については、図６を用いて説明する。レセプトデータテーブル３０に記憶された傷病名３６に対応する傷病名４５が支援情報テーブル４０に記憶されている場合（ステップＳ２７１にてＹｅｓ）、傷病名４５に対応する支援情報４２が選定される（ステップＳ２７２）。レセプトデータテーブル３０に記憶された医薬品名３７に対応する医薬品名４６が支援情報テーブル４０に記憶されていない場合（ステップＳ２７１にてＮｏ）、他の傷病名３６に対応する傷病名４５が支援情報テーブル４０に記憶されているか否かを判定する（ステップＳ２７１）。これらの処理を、特定ユーザのすべての傷病名３６についての判定がされるまで繰り返す。
【００８２】
レセプトデータテーブル３０に記憶された医薬品名３７に対応する医薬品名４６が支援情報テーブル４０に記憶されている場合（ステップＳ２７３にてＹｅｓ）、医薬品名４６に対応する支援情報４２が選定される（ステップＳ２７４）。レセプトデータテーブル３０に記憶された医薬品名３７に対応する医薬品名４６が支援情報テーブル４０に記憶されていない場合（ステップＳ２７３にてＮｏ）、他の医薬品名３７に対応する医薬品名４６が支援情報テーブル４０に記憶されているか否かを判定する（ステップＳ２７３）。これらの処理を、特定ユーザのすべての医薬品名３７についての判定がされるまで繰り返した後、支援情報の選定処理は終了する。
【００８３】
なお、傷病名４５または医薬品名４６の他に、対象地域４７、対象年齢４８、または配信時期４９などの他の配信条件４４を、支援情報４２を選定するための条件として追加することができる。
【００８４】
支援情報の表示処理（図３）は、支援情報を選定した後（ステップＳ２７）、複数選定された支援情報の優先順位を設定するステップに移行する（ステップＳ２８）。支援情報の優先順位を設定できるようにすることにより、提供者に登録をさせるインセンティブをより与えることができるようになる。優先順位を設定は、サーバ装置の制御部において行うことができる。
【００８５】
優先順位を設定する設定基準は、特に限定されないが、提供者の登録をされていない支援情報よりも提供者の登録をされた支援情報の優先順位を高く設定することができる。その他、登録料の額が多い提供者や登録料の支払時期が早い提供者の支援情報の優先順位を高く設定することができる。
【００８６】
続いて、選定された支援情報の概要の一覧がサーバ装置から送信される（ステップＳ２９）。支援情報の概要は、レセプトデータが取得されてから即時配信する態様としてもよいし、レセプトデータに基づいて定期配信する態様としてもよい。なお、レセプトデータが取得できるのは、処方日から約２月後となる。
【００８７】
ユーザ端末が支援情報の概要一覧を受信すると（ステップＳ３０）、ユーザ端末においてホーム画面が表示されるようになる（ステップＳ３１）。
【００８８】
図７に、本発明の実施の形態に係るユーザ支援システムにおけるホーム画面の一例を示す。ホーム画面には、種々のコンテンツと関連付けられたリンクアイコンが表示されている。リンクアイコンに対して、ユーザがタップ等の所定の操作を行うことにより、各種コンテンツを利用できるようになっている。ホーム画面には、自動お薬手帳のリンクアイコン７２、おすすめ動画のリンクアイコン７３、検診ガイドのリンクアイコン７４、医学コラムのリンクアイコン７５、および新しいお知らせのリンクアイコン７６などが表示されている。
【００８９】
ホーム画面において、おすすめ動画のリンクアイコン７３が選択されると、ユーザ端末７０の表示画面７１において、支援情報の概要一覧として、図８に記載のような動画一覧画面が表示される（ステップＳ３２）。
【００９０】
動画一覧画面には、動画の検索窓８１、動画のテーマ一覧８２、動画一覧８３、テーマ別アイコン８４、新着別アイコン８５、およびおすすめアイコン８６、ならびに支援情報である動画の概要として、動画のサムネイル画像９１、動画のテーマ９２、動画のタイトル９３、掲載日９４、および再生時間９５などを表示することができる。
【００９１】
動画のテーマとは、例えば、食生活、運動、睡眠、ストレス、くすり、予防、認知症、感染症、またはがんなど、動画の内容を項目化したカテゴリーである。動画には各種テーマが割り振られており、１つの動画に対して複数のテーマが割り振られている場合もある。
【００９２】
例えば、テーマ別タブ８４に対して、ユーザがタップ等の所定の操作を行うことにより、テーマ一覧８２と動画一覧８３が表示された画面を表示することができる。テーマ一覧８２の中のテーマアイコンのいずれかに対して、ユーザがタップ等の所定の操作を行うことにより、タップしたテーマアイコンのテーマに属する新たな動画一覧８３が表示されるようになる。
【００９３】
また、新着別アイコン８５に対して、ユーザがタップ等の所定の操作を行うことにより、新着順、すなわち掲載日が新しい順に動画一覧８３を表示することができる。
【００９４】
加えて、おすすめアイコン８６に対して、ユーザがタップ等の所定の操作を行うことにより、ユーザと関連性の高い動画を関連性が上から高い順となるように動画一覧８３を表示することができる。ユーザとの関連性は、動画に関する情報に対して、どの傷病名および／または医薬品名が関連しているかに関する情報をあらかじめ支援情報テーブルに記憶させておき、当該情報と、ユーザのレセプトデータに含まれる傷病名および／または医薬品名に関する情報との関連性を制御部が評価することで算出できる。
【００９５】
その他、検索窓８１に検索キーワードを入力することで、検索キーワードに関連する動画一覧８３を表示することができる。動画のタイトルや説明文に使われているテキストの一部と検索キーワードが一致等した場合に、動画に関する情報を一覧に表示させてもよいし、それに加え、動画について複数のテキストタグを設定して、当該テキストタグと検索キーワードが一致等した場合に、動画に関する情報を一覧に表示させてもよい。
【００９６】
また、動画一覧画面においては、提供者の登録をされていない支援情報の概要を下位に表示し、提供者の登録をされた支援情報の概要を上位に優先して表示する態様とすることもできる。上記表示態様により、提供者に登録をさせるインセンティブをより多く与えることができるようになる。
【００９７】
優先表示の態様は、特に限定されないが、例えば、支援情報の概要一覧において、上位に表示する、太字で表示する、表示枠を大きくする、彩色を施して目立たせる、または、注意を喚起する記号やテキスト等を付すといった態様が挙げられる。
【００９８】
動画一覧８３の中から特定の動画の概要が支援情報の概要として選択されたことをユーザ端末が認識すると（ステップＳ３３）、ユーザ端末から支援情報の表示要求が送信される（ステップＳ３４）。サーバ装置が、支援情報の表示要求を受信すると（ステップＳ３５）、表示要求に対応する支援情報が特定される（ステップＳ３６）。サーバ装置が、特定された支援情報を送信し（ステップＳ３７）、ユーザ端末が、特定された支援情報を受信すると（ステップＳ３８）、ユーザ端末において、支援情報を表示できるようになる（ステップＳ３９）。
【００９９】
支援情報が動画の場合、支援情報の受信態様は、ストーリーミングによるものでもダウンロードによるものでもよい。
【０１００】
ユーザ端末において、支援情報は、例えば、図９に記載の支援情報表示画面において表示することができる。
【０１０１】
ユーザ端末７０の表示画面７１において、支援情報表示画面９０を表示することができる。支援情報表示画面９０においては、動画形式の支援情報を再生することができたり、テキスト形式の支援情報を閲覧したりすることができる。例えば、医療器具の使い方などは、口頭で説明を受けても、使い方のイメージがわきにくいうえ、帰宅後に使い方を忘れてしまう場合も多い。しかし、図９に記載のように、医療器具の使い方が支援情報として動画で再生できる態様となっていれば、医療器具のユーザにとって非常に利便性が高くなる。
【０１０２】
提供者情報の表示態様は、特に限定されないが、例えば、図９の支援情報表示画面９０に記載のように、支援情報とともに提供者に関する情報を表示することができる。上記構成により、ユーザは、支援情報がどの企業によって提供されているものであるかを一目で認識でき、提供者に対する評価が向上されやすくなる。その他、支援情報となる動画の再生前、再生中、または再生後に、提供者に関連する動画を再生する態様とすることもできる。
【０１０３】
また、新しく販売されるジェネリック医薬品に関する情報が、代替薬テーブルに登録された際に、代替薬と関連する処方薬が処方されているユーザに対して、新しく販売されるジェネリック医薬品に関する情報を配信する態様とすることもできる。
【０１０４】
上記態様により、新しいジェネリック医薬品に関する情報のうち、ユーザの処方内容に関連した情報をユーザが享受することができる。
【０１０５】
新しいジェネリック医薬品を表示するための処理について図１０を用いて説明する。また、新しいジェネリック医薬品の詳細を表示する画面について図１１を用いて説明する。
【０１０６】
まず、ユーザ端末が、ログインＩＤおよびパスワードを送信すると（ステップＳ４１）、サーバ装置が、ログインＩＤおよびパスワードを受信する（ステップＳ４２）。サーバ装置において、ログインＩＤおよびパスワードを用いた認証が行われると（ステップＳ４３）、ログインＩＤに応じた処方薬の情報が抽出される（ステップＳ４４）。
【０１０７】
処方薬に対応する新しいジェネリック医薬品が登録されている場合（ステップＳ４５にてＹＥＳ）、新しいジェネリック医薬品の一覧が作成され、ユーザ端末に送信される（ステップＳ４６）。処方薬に対応する新しいジェネリック医薬品が登録されていない場合（ステップＳ４５にてＮＯ）、新しいジェネリック医薬品に関する情報はユーザ端末に送信されず、処理が終了する。
【０１０８】
ユーザ端末が、新しいジェネリック医薬品の一覧を受信した後（ステップＳ４７）、新しいジェネリック医薬品の詳細リンクが選択されたことをユーザ端末が認識すると（ステップＳ４８）、ユーザ端末が、新しいジェネリック医薬品の詳細に関する要求をサーバ装置に送信する（ステップＳ４９）。サーバ装置は、新しいジェネリック医薬品の詳細に関する要求を受信すると（ステップＳ５０）、新しいジェネリック医薬品の詳細に関する情報をユーザ端末に送信する（ステップＳ５１）。ユーザ端末が、新しいジェネリック医薬品の詳細に関する情報を受信すると（ステップＳ５２）、ユーザ端末の表示画面において、新しいジェネリック医薬品の詳細が表示される（ステップＳ５３）。
【０１０９】
図７に記載のように、ホーム画面の新しいお知らせの欄には、ジェネリック医薬品に関するお知らせや通院をしていない旨のお知らせについて詳細な情報を閲覧するためのリンクアイコン７６が表示されており、ユーザが、リンクアイコン７６に対して、タップ等の所定の操作を行うと、図１１に記載のような新しいジェネリック医薬品のお知らせ画面が表示される。
【０１１０】
当該画面では、処方薬の情報１３１とジェネリック医薬品の情報１３２がともに表示されている。処方履歴を閲覧するためのリンクアイコン１３３に対して、タップ等の所定の操作を行うと、処方履歴として自動お薬手帳の画面を表示することができる。また、処方薬の情報１３１とともに表示されるリンクアイコン１３４に対して、タップ等の所定の操作を行うと、処方薬に関する詳細な情報が表示される。処方薬に関する詳細な情報は、図１２に記載のようなジェネリック医薬品の詳細画面と同様の表示態様で表示することができる。同様に、ジェネリック医薬品の情報１３２とともに表示されるリンクアイコン１３５に対して、タップ等の所定の操作を行うと、代替薬に関する詳細な情報が表示される。代替薬に関する詳細な情報は、図１２に記載のようなジェネリック医薬品の詳細画面として表示することができる。
【０１１１】
図１２に記載のように、ジェネリック医薬品の詳細画面では、ジェネリック医薬品の名称１１１の他に、ジェネリック医薬品のメーカ１１２、薬価１１３、剤形１１４、主成分１１５、作用・効果１１６、用法・容量１１７、およびジェネリック医薬品の画像１１８などの情報が表示される。
【０１１２】
上記のような情報を表示することで、ユーザがジェネリック医薬品に関する情報を詳しく知ることができるようになる。なお、上記のような情報は、支援情報テーブルの情報と関連付けて記憶させておくことができる。
【０１１３】
続いて、製薬会社の詳細リンクがタップ等の所定の操作を受け付けると（ステップＳ５４）、ユーザ端末が、製薬会社の詳細に関する要求をサーバ装置に送信する（ステップＳ５５）。サーバ装置は、製薬会社の詳細に関する要求を受信すると（ステップＳ５６）、製薬会社の詳細に関する情報をユーザ端末に送信する（ステップＳ５７）。ユーザ端末が、製薬会社の詳細に関する情報を受信すると（ステップＳ５８）、ユーザ端末の表示画面において、製薬会社の詳細が表示される（ステップＳ５９）。製薬会社の詳細は、図１３に記載のような表示画面として表示することができる。
【０１１４】
図１３に記載のように、ジェネリック医薬品のメーカ１１２の表示の近傍には、ジェネリック医薬品のメーカである製薬会社の詳細な情報を表示するためのリンクアイコン１２０が表示されており、リンクアイコン１２０に対して、ユーザがタップ等の所定の操作を行うことにより、ジェネリック医薬品のメーカである製薬会社の詳細が表示される。当該画面では、製薬会社の名称１２１の他に、製薬会社の代表者１２２、設立年１２３、資本金１２４、本社の住所および連絡先１２５、製薬会社のスローガン１２６、ならびに製薬会社の説明文１２７などの情報が表示される。
【０１１５】
新しいジェネリック医薬品を表示するための処理は、定期的に行う態様としてもよいし、新しいジェネリック医薬品が登録される毎に、新しいジェネリック医薬品に対応する処方薬を処方されているユーザを対象に同様の処理を行ってもよい。
【０１１６】
なお、レセプトデータに含まれる情報をさらに有効活用して、ユーザに情報提供することも可能である。例えば、レセプトデータから処方日および処方日数を抽出する抽出手段と、抽出された処方日および処方日数に基づいて、次回の通院に関する情報をユーザ端末に表示させる手段とを備える構成とすることができる。上記構成により、ユーザに特定の登録作業等をさせずに、次回の通院に関する情報をユーザに知らせることができる。
【０１１７】
レセプトデータから次回の通院の時期を推定する処理について図１４に記載のフローチャートを用いて説明する。レセプトデータをストレージ部が記憶した後（ステップＳ７１）、糖尿病などの特定の傷病名や、糖尿病薬などの医薬品名がレセプトデータに含まれているか否かを制御部が判定する（ステップＳ７２）。
【０１１８】
特定の傷病名または医薬品名がレセプトデータに含まれている場合（ステップＳ７２にてＹＥＳ）、レセプトデータから処方日および処方日数を制御部が特定する（ステップＳ７３）。
【０１１９】
上記のように糖尿病などの特定の傷病名に関する情報および／または糖尿病薬などの特定の医薬品名に関する情報がレセプトデータに含まれていると制御部が判断した場合に、下記のように通院していないことを通知する構成とすることにより、糖尿病などの慢性疾患のように病態の悪化が重篤な症状を招く傷病に罹患している患者に特化して、病態の悪化を未然に防ぎやすくなる。
【０１２０】
なお、特定の傷病名または医薬品名がレセプトデータに含まれていない場合（ステップＳ７２にてＮＯ）、通院時期推定処理は終了する。
【０１２１】
次に、特定された処方日および処方日数から、次回の通院の時期を制御部が推定する（ステップＳ７４）。この時、処方日から処方日数後の日を単純に次回の通院の時期、すなわち推定日としてもよいし、残薬があって通院時期が延期される場合があること等を考慮して、処方日から処方日数後の日に所定の日数を加算して推定日としてもよい。所定の日数の程度は、特に限定されないが、病状が悪化しやすい傷病に罹患したユーザ（または当該傷病に関連する医薬品を処方されているユーザ）に対しては、病状が悪化しにくい傷病と比較して、所定の日数を短く設定するなど、傷病ごとに適した日数を設定して登録しておくことが好ましい。
【０１２２】
上記のようにして算出された推定日をストレージ部が記憶した後（ステップＳ７５）、通院時期推定処理は終了する。
【０１２３】
次に、次回の通院に関する情報を警告等によって通知する警告通知処理について、図１５に記載のフローチャートを用いて説明する。
【０１２４】
まず、警告通知処理の時点が推定日を過ぎているか否かを制御部が判定する（ステップＳ８１）。警告通知処理の時点が推定日を過ぎている場合（ステップＳ８１にてＹＥＳ）、推定日以前の日であって推定日のもとになった処方日よりも後に、継続通院による新しい処方日を含むレセプトデータが登録されているか否かを制御部が判定する（ステップＳ８２）。警告通知処理の時点が推定日を過ぎていない場合（ステップＳ８１にてＮＯ）、警告通知処理は終了する。なお、警告通知処理は、毎日行ってもよいし、数日間隔で行ってもよい。
【０１２５】
推定日以前の日であって推定日のもとになった処方日よりも後に、継続通院による新しい処方日を含むレセプトデータが登録されていない場合（ステップＳ８２にてＮＯ）、通院していない旨の通知をサーバ装置が送信する（ステップＳ８３）。
【０１２６】
上記のように、抽出された処方日および処方日数に基づいて、次回の通院の時期を制御部が推定する手段と、推定された通院の時期から所定の期間を経過しても前記通院に関するレセプトデータがストレージ部に新たに記憶されなかった場合に、通院していないことをユーザ端末において通知して警告する警告手段とを備える構成とすることにより、ユーザが通院を忘れたり、通院を怠ったりしても、通院を促すことができるようになる。
【０１２７】
なお、推定日以前の日であって推定日のもとになった処方日よりも後に、継続通院による新しい処方日を含むレセプトデータが登録されている場合（ステップＳ８２にてＹＥＳ）、通院していない旨の通知は送信せずに、警告通知処理は終了する。
【０１２８】
ユーザ端末が、通院していない旨の通知を受信すると（ステップＳ８４）、通院していない旨の通知をユーザ端末が表示し（ステップＳ８５）、警告通知処理が終了する。通知は、ホーム画面の新しいお知らせの欄において通知してもよいし、アプリアイコンの右上にバッジ等でプッシュ通知してもよいし、ポップアップウィンドウを表示するなどして、通知と表示を同時に行うようにしてもよい。
【０１２９】
通知の内容は、特に限定されないが、単に通院をしていない旨を通知するだけでなく、通院をしない場合のリスク（例えば、糖尿病の治療を怠ると、透析が必要になってしまう場合があることなど）を表示する態様とすることが好ましい。
【０１３０】
上記のように、特定の傷病が悪化した場合の危険性および／または特定の医薬品を服用しなかった場合の危険性を通知して警告する手段を備える構成とすることにより、通院しないことのデメリットをユーザがより的確に認識しやすくなって、ユーザが通院する可能性を高くすることができる。その結果、ユーザは健康状態を維持しやすくなるとともに、将来的な医療費の削減にも繋げることができるようになる。
【０１３１】
また、通院していないことに関する情報をユーザ支援システムのサーバ装置が、保険者の利用するサーバ装置に送信する手段を備える構成とすることも好ましい。上記構成により、ユーザが通院していないことを保険者が把握できるようになるため、保険者からユーザに通院を促す連絡などができるようにもなる。
【符号の説明】
【０１３２】
１０  ユーザ支援システム
１１  ユーザ端末
１２  サーバ装置
１３  公衆回線網
１４  操作部
１５  表示部
１６  制御部
１７  ＲＡＭ
１８  通信インターフェイス
１９  通信インターフェイス
２０  ストレージ部
２１  制御部
２２  ＲＡＭ
３０  レセプトデータテーブル
３１  患者ＩＤ
３２  患者氏名
３３  住所
３４  生年月日
３５  年齢
３６  傷病名
３７  医薬品名
３８  処方日
４０  支援情報テーブル
４１  ＩＤ
４２  支援情報
４３  提供者情報
４４  配信条件
４５  傷病名
４６  医薬品名
４７  対象地域
４８  対象年齢
４９  配信時期
７０  ユーザ端末
７１  表示画面
７２〜７６  リンクアイコン
８１  検索窓
８２  テーマ一覧
８３  動画一覧
８４  テーマ別アイコン
８５  新着別アイコン
８６  おすすめアイコン
９０  支援情報表示画面
９１  サムネイル画像
９２  テーマ
９３  タイトル
９４  掲載日
９５  再生時間
１１１  名称
１１２  メーカ
１１３  薬価
１１４  剤形
１１５  主成分
１１６  作用・効果
１１７  用法・容量
１２０  リンクアイコン
１２１  名称
１２２  代表者
１２３  設立年
１２４  資本金
１２５  住所および連絡先
１２６  スローガン
１２７  説明文
１３１  処方薬の情報
１３２  ジェネリック医薬品の情報
１３３〜１３５  リンクアイコン
【図１】
2018092376.tif 000003
【図２】
2018092376.tif 000004
【図３】
2018092376.tif 000005
【図４】
2018092376.tif 000006
【図５】
2018092376.tif 000007
【図６】
2018092376.tif 000008
【図７】
2018092376.tif 000009
【図８】
2018092376.tif 000010
【図９】
2018092376.tif 000011
【図１０】
2018092376.tif 000012
【図１１】
2018092376.tif 000013
【図１２】
2018092376.tif 000014
【図１３】
2018092376.tif 000015
【図１４】
2018092376.tif 000016
【図１５】
2018092376.tif 000017